【事件の表示】
　特願２０１５−５１６７２１「カメラによる生命徴候測定システム」拒絶査定不服審判事件〔平成２５年１２月１９日国際公開、ＷＯ２０１３／１８６６９６、平成２７年　８月１３日国内公表、特表２０１５−５２３１３２〕について、次のとおり審決する。
【結　論】
　本件審判の請求は、成り立たない。
【理　由】
第１　手続の経緯
　本願は、２０１３年（平成２５年）６月１１日（パリ条約による優先権主張外国庁受理２０１２年６月１２日、同年１２月２０日、ともに米国）を国際出願日とする出願であって、平成２９年５月２５日付けで拒絶理由が通知され、同年９月４日に意見書が提出されるとともに手続補正がなされ、平成３０年２月６日付けで拒絶査定がなされたのに対し、平成３０年６月１３日に拒絶査定不服審判の請求がなされたものであり、その後、当審において平成３１年４月１８日付けで拒絶理由が通知され、令和元年７月１６日に意見書が提出されるとともに手続補正がなされたものである。
第２　本願発明
　本願の請求項１〜１４に係る発明は、令和元年７月１６日になされた手続補正によって補正された特許請求の範囲の請求項１〜１４に記載された事項により特定されるものと認められるところ、そのうち請求項１に係る発明（以下「本願発明」という。）は、以下のとおりのものである。
「【請求項１】
　対象者の生命徴候を求めるためのシステムであって、前記システムは、
　対象者のビデオデータを得るための撮像ユニットと、
　対象者の体に取り付け可能なマーカーであって、当該対象者の固有のデータを含む符号化データを含んだ機械可読グラフィカルパターンを含む、前記マーカーと、
　前記ビデオデータ内の前記マーカーを検出し、前記グラフィカルパターンから前記符号化データを求めるための画像処理ユニットと、
　前記ビデオデータから対象者の前記生命徴候に関する生命徴候パラメータを抽出し、前記生命徴候パラメータから前記生命徴候を求める解析ユニットと
を含む、システム。」
　
第３　拒絶の理由について
　平成３１年４月１８日付けで当審が通知した拒絶理由は、平成２９年９月４日になされた手続補正によって補正された特許請求の範囲の請求項１に係る発明（上記本願発明に対応する）に対する以下の拒絶理由を含むものである。
　上記請求項１に係る発明は、本願の出願（優先日）前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。 
　引用文献１：特表２００６−５０７０８８号公報　 
　引用文献２：特表２０１０−５３４５０３号公報　 
第４　引用文献の記載及び引用発明
１　引用文献１について
（１）引用文献１の記載事項
　引用文献１には、以下の事項が記載されている。なお、下線は当審において付与した。
（１ａ）「【０００８】 
　一実施例にしたがって、乳幼児の呼吸パターンを識別する方法が、まずマーカーを乳幼児に接近して配置すること、マーカーを少なくともひとつのカメラで観察すること、カメラにより観察された、識別されたマーカーの画像座標を生成すること、画像座標をマーカー用の基準座標と比較すること、その後に乳幼児の呼吸の動きを判定することを含む。
コンピュータ装置は、呼吸パターンを解析し、不規則性が検出されたならばリポート装置を作動させる
複数の乳幼児または患者に関連した多数のマーカーが、本システムおよび方法を使用して同時にモニターされ得る
【０００９】 
　本発明のこれらおよび他の態様、目的、効果は詳細な説明、図面および特許請求の範囲に示されている。 
【発明を実施するための最良の形態】 
【００１０】 
　本発明の実施例の態様は乳幼児の呼吸動作の周期性および不規則性を検出する方法である。また
乳幼児の呼吸活動の周期性および不規則性を検出し、リポートするシステム
【００１１】 
乳幼児の呼吸をモニタリングするシステム 
　図１は乳幼児の呼吸動作動のモニタリング（呼吸動作を表わすデータは光学画像化装置により収集される）のためのシステム100の実施例の要素を示す。ビデオカメラ108のような、光学的またはビデオ画像装置が乳幼児106の少なくとも一部がカメラの視野に入るように向けられる。
カメラ108は呼吸活動に関連した動きについて、乳幼児106をモニターする
【００１２】
　一実施例では、カメラ当たりのひとつの照明源（好適実施例では、赤外線源である）が処理テーブル104上の乳幼児106に光を投射する。発生した光は、乳幼児の体上にあるひとつ以上の標識点（ランドマーク）で反射する。カメラ108（乳幼児106に向けられている）は、ひとつ以上の標識点からの反射光を捕捉し、検出する（標識点は好適に、患者の胸部上のひとつ以上の位置に配置され、カメラ108により見ることができる）。 
【００１３】 
　
カメラ108の出力信号は、ビデオ画像を受信する機能をもつコンピュータ110
に送信される
【００１４】 
　警報装置116はコンピュータ110に埋め込まれても、別体でもよい。一実施例では、コンピュータ110からの制御信号を受信した際に、警報装置116は、SIDSの可能性のある乳幼児の介護人または親に警告するために、警報信号（可聴音、視覚信号またはその両方）を送信する。警報信号はまた、SIDSの発生を減少させるために、乳幼児を目覚めさせるべく送信してもよい。単に図示の目的であるが、図１はコンピュータ110に結線した警報装置116を示す。しかし、ワイヤレスも、結線に代え、または結線とともに使用することができる。さらに、本発明に使用される警報装置116の数は変化させることができる。一例として、警報信号が送信されたとき、乳幼児の介護人または親を警告する機会を最大にするために、複数の場所に警報装置116を配置してもよい。 
【００１５】
　一実施例において、ひとつ以上の受動マーカー114が、呼吸動作を検出すべき、乳幼児の領域に配置される。各マーカー114は好適に、光（可視光であろうとも、可視的でないものであろうとも）を反射することができる、反射性または逆反射性材料からなる。照明源がカメラ108と同じ位置に配置されている場合は、マーカー114は好適に、照明源へと大部分の光を反射する逆反射性材料からなる。これに代えて、各マーカー114は自ら光源を含んでもよい。マーカー114は乳幼児の呼吸動作を検出するために、カメラ108により画像化される乳幼児の体の上の身体的な標識点に代えて、またはこれと併用して用いられる。マーカー114は好適に、このような
マーカー114がカメラ108により形成されたビデオ画像を介して、検出され、より正確に追跡され得る
　・・・
【００１９】 
　
カメラ108からコンピュータ110に送られるビデオ画像信号は、乳幼児の身体上のマーカー114の動き
を表わす信号を発生させ、追跡するために使用される
（１ｂ）「【００２４】 
　他の実施例としては、
マーカー114は
マーカーブロックからなってもよい。マーカーブロックは、光学画像装置による乳幼児の身体上の特定の位置を検出する
【００２５】 
　基準位置の大きさ、間隔、および位置が、カメラまたは他の光学画像装置から眺め易く、マーカーブロックの位置を正確に示す画像が得られるかぎり、マーカーブロックはいかなる形状、大きさで作られてもよい。
マーカーブロックは特定の身体の部分と整合する形状をもつように作られてもよい
身体の或る領域に整合する形状をもつマーカーブロックは乳幼児の特定の位置に、マーカーブロックを繰り返して配置することを容易にする
（１ｃ）「【００６５】
多数の対象のモニタリング
　図１２は、光学モニタリングシステム1200を使用して、多数の対象1202a−dをモニターする本発明の実施例を示す。各対象には、マーカーブロック1204a−dまたは個々のマーカー（図示せず）のセットが関連付けられ、または付着される。上記のプロセスは対象の呼吸パターンまたは動作における不規則性を検出するために実行される。
【００６６】
　システム1200は、モニターが望まれる対象のすべてに対して、マーカーまたはマーカーブロックを眺めるためにカメラ1206の視野が定められるように設定される。ひとつのカメラが対象の位置および向きを決定するために使用されるとき、少なくとも三つのマーカーが、モニターされる各対象に対して見ることができるように配置されなければならない。カメラ1200の視野が全ての対象を眺めることができるように、十分に広くないときは、追加のカメラが視野を広めるために使用してもよい。ひとつのアプローチでは、対象をサブグループに分け、カメラは各サブグループと関連付けられる。各カメラはモニター位置の特定の位置/領域にある対象をモニターするように配置される。サブグループはカメラに対する対象の特定の位置に基づき定められる。
【００６７】
　動作において、カメラ1206は、モニターされる対象に対して、可視的なマーカーの画像を含む画像フレームを捉える。たとえば、四つの対象がモニターされるとき、マーカーの四つのセット（たとえば、マーカーブロック1204a−dに対応）が画像フレームを捉える。
【００６８】
　
多数の対象の同時モニターを実行するとき、行うひとつの動作は、画像フレームで識別されるマーカーのセットを適切な対象に関連付けることである
  
（１ｄ）「【００７１】 
　ひとつの対象上の複数のマーカーブックをモニターするために同様のアプローチを取ることができる。多数のマーカーブロックは、ひとつの対象上の異なる複数の位置の動きを同時にモニターするために使用することができる。 
【００７２】 
　図１３には、複数のマーカーブロックに関連付けられ、または付着された対象1302が示されている。特に、第一のマーカーブロック1304aが対象1302の胴の下方に付着され、第二のマーカーブロック1304bが同じく胴の上方に付着され、第三のマーカーブロック1304cが同じく腕/肩の上方に付着されている。 
【００７３】 
　マーカーをマーカーブロックに関連付ける上記の動作は、
個々のマーカーをマーカーブロック（身体の各位置に関連する）に対応付けるために使用することができる。マーカーの各セットは、関連付けられたマーカーブロックの動きおよび/または位置を独立してモニターするために、個々に処理される
【００７４】 
　一実施例では、多数の対象（ひとつ以上のモニターの対象が多数のマーカーブロックと関連付けられる）をモニターするためにシステムが実施される。マーカーをマーカーブロックに関連づけ、マーカーブロックを各身体位置に関連付けるために、同様の手順が続く。しかし、多数のマーカーブロックは対象上の異なる身体位置をモニターするために、同じ対象に関連付けられる。」（なお、【００７１】の「マーカーブック」は「マーカーブロック」の誤記と認められる。） 
  
（１ｅ）上記図１、１２及び１３として、以下の図面が記載されている。 
【図１】
【図１２】
【図１３】
  
（２）引用発明について
ア　記載事項の整理 
（ア）摘記（１ｂ）「【００２４】他の実施例」と記載されているものの、「他の実施例としては、
マーカー114は
マーカーブロックからなってもよい
（イ）摘記（１ｃ）は「多数の対象のモニタリング」について記載されている箇所であるが、「対象」が「多数」になっただけで、そこで用いられている技術は、摘記（１ａ）、（１ｂ）及び（１ｄ）と共通するもので別の技術ではないことから、下記の引用発明では当該部分も踏まえて認定している。
（ウ）摘記（１ｄ）は「ひとつの対象上の複数のマーカーブロックをモニター」することについて記載されている箇所であるが、「マーカー」が「ひとつの対象上の複数」になっただけで、そこで用いられている技術は、摘記（１ａ）、（１ｂ）及び（１ｃ）と共通するもので別の技術ではないことから、下記の引用発明では当該部分も踏まえて認定している。
（エ）下記の引用発明では、「乳幼児」及び「対象」は「乳幼児」と、「コンピュータ110」及び「コンピュータ装置」は「コンピュータ」と記載することにする。
イ　引用発明
　上記（１）の摘記事項、及び、上記アの記載事項の整理を踏まえれば、引用文献１には、以下の発明が記載されていると認められる。なお、図面番号については省略した。
「乳幼児の呼吸活動の周期性および不規則性を検出し、リポートするシステムであって、
　カメラは、呼吸活動に関連した動きについて、乳幼児をモニターし、カメラの出力信号は、ビデオ画像を受信する機能をもつコンピュータに送信され、カメラからコンピュータに送られるビデオ画像信号は、乳幼児の身体上のマーカーの動きを表わす信号を発生させ、追跡するために使用され、
  マーカーは、カメラにより形成されたビデオ画像を介して、検出され、より正確に追跡され得るもので、光学画像装置による乳幼児の身体上の特定の位置を検出するために使用され、個々のマーカーを身体の各位置に関連するように対応付けるために使用されるもので、マーカーの各セットは、関連付けられたマーカーの動きおよび/または位置を独立してモニターするために、個々に処理されるものであり、
　また、マーカーは、特定の身体の部分と整合する形状をもつように作られ、乳幼児の特定の位置に、マーカーを繰り返して配置することを容易にするものであり、
　コンピュータは、呼吸パターンを解析し、不規則性が検出されたならばリポート装置を作動させ、
　複数の乳幼児に関連した多数のマーカーが、本システムを使用して同時にモニターされ得るもので、多数の乳幼児の同時モニターを実行するとき、画像フレームで識別されるマーカーのセットを適切な乳幼児に関連付けるものである、
　システム。」
２　引用文献２について
　引用文献２には、以下の事項が記載されている。なお、下線は当審において付与した。
（２ａ）「【０００３】 
　患者の運動能力を評価し、適切なフィードバックを提供するため、
患者の動きに関するデータ
マーカは、患者の身体の異なる位置に取り付けられる
【０００４】 
　現在、この情報は、
身体の部分をユニークなセンサ識別情報と関連付ける
  
（２ｂ）「【０００８】 
　
位置認識ユニットは、人体の所定の位置に位置される
マーキングとして理解されるべきである
  
（２ｃ）「【００２０】 
　本発明の一実施例において、
位置認識ユニットのユニークな識別情報
バーコード及び２次元ピクセル配列を含む
  
（２ｄ）「【００２５】 
　・・・ 
　視
覚的な追跡するための光学的マーキング
カメラによって識別され得る
  
（２ｅ）「【実施例１】 
【００３５】 
　図１は、本発明によるシステムを有する人を概略的に示す。片方の腕に、この人物は、
位置認識ユニット（１）を構成するバーコードの形態の光学的マーキング
第５　対比
１　本願発明と引用発明とを対比すると、以下のとおりである。
（１）生命徴候、生命徴候パラメータ等について 
　引用発明の「乳幼児」は、本願発明の「対象者」に相当する。
　また、本願発明の「生命徴候」及び「生命徴候パラメータ」に関して、本願明細書では前者について「「生命徴候」という用語は対象者の生理学的パラメータを指す。」（【００１１】）、後者について「生命徴候パラメータが呼吸運動」（【００４７）と記載されていることから、引用発明の「呼吸活動に関連した動き」及び「呼吸動作の周期性および不規則性」が、本願発明の「生命徴候パラメータ」及び「生命徴候」に相当する。
　そして、引用発明の「乳幼児の呼吸活動の周期性および不規則性を検出」「するシステム」は、本願発明の「対象者の生命徴候を求めるためのシステム」に相当する。 
  
（２）撮像ユニットについて 
　引用発明の「呼吸活動に関連した動きについて、乳幼児をモニターし」、「ビデオ画像信号」を「コンピュータに送信」する「カメラ」は、本願発明の「対象者のビデオデータを得るための撮像ユニット」に相当する。
（３）マーカーについて 
　引用発明の「特定の身体の部分と整合する形状をもつように作られ、乳幼児の特定の位置に、マーカーを繰り返して配置することを容易にするものであ」る「マーカー」は、「特定の身体の部分と整合する形状」で「繰り返して」使用されるものであるから、身体に取り付けたり外したりすることができるもの、すなわち取り付け可能なものといえることから、本願発明の「対象者の体に取り付け可能なマーカー」に相当する。 
  
（４）画像処理ユニット及び解析ユニットについて
　引用発明の「カメラから」「送られるビデオ画像信号」において「乳幼児の身体上のマーカーの動きを表わす信号を」「追跡」し、「マーカー」を「カメラにより形成されたビデオ画像を介して、検出」する「コンピュータ」は、本願発明の「前記ビデオデータ内の前記マーカーを検出」する「画像処理ユニット」に相当する。
　そして、引用発明の「ビデオ画像信号」において「乳幼児の身体上のマーカーの動き」すなわち「呼吸活動に関連した動き」「を表わす信号を」「追跡」し、「呼吸パターンを解析」し、「乳幼児の呼吸活動の周期性および不規則性を検出」する「コンピュータ」は、上記（１）を踏まえると、本願発明の「前記ビデオデータから対象者の前記生命徴候に関する生命徴候パラメータを抽出し、前記生命徴候パラメータから前記生命徴候を求める解析ユニット」にも相当するものである。
２　一致点・相違点
　上記対比を踏まえれば、本願発明と引用発明とは、 
「対象者の生命徴候を求めるためのシステムであって、前記システムは、 
　対象者のビデオデータを得るための撮像ユニットと、 
　対象者の体に取り付け可能なマーカーと、 
　前記ビデオデータ内の前記マーカーを検出する画像処理ユニットと、 
　前記ビデオデータから対象者の前記生命徴候に関する生命徴候パラメータを抽出し、前記生命徴候パラメータから前記生命徴候を求める解析ユニットと 
を含む、システム。」
　の点で一致し、以下の点で相違する。 
  
（相違点） 
　本願発明は、マーカーが「対象者の固有のデータを含む符号化データを含んだ機械可読グラフィカルパターンを含む」もので、画像処理ユニットが「前記グラフィカルパターンから前記符号化データを求めるための」ものであるのに対し、
　引用発明では、マーカーが「対象者の固有のデータを含む符号化データを含んだ機械可読グラフィカルパターンを含む」ものではなく、コンピュータが「前記グラフィカルパターンから前記符号化データを求めるための」ものではない点。
第６　判断
１　相違点に対する判断
　本願発明の「対象者の固有のデータを含む符号化データを含んだ機械可読グラフィカルパターン」について、本願明細書には「例えばビデオデータ内の
マーカーの位置
を画像処理ユニットによって突き止めることを可能にする機械可読パターン
マーカーの
位置がグラフィカルパターンから求められても良い
符号化データは、患者名、病棟、患者識別情報等の患者に関するデータを含むことができる
符号化データを含むグラフィカルパターンは
ＱＲコード（登録商標）、バーコード
　一方、引用発明は、マーカーについて、「乳幼児の身体上の特定の位置を検出するために使用され、個々のマーカーを身体の各位置に関連するようにに対応付けるために使用されるもので、マーカーの各セットは、関連付けられたマーカーの動きおよび/または位置を独立してモニターするために、個々に処理されるものであ」り、「複数の乳幼児に関連した多数のマーカーが、本システムを使用して同時にモニターされ得るもので、多数の乳幼児の同時モニターを実行するとき、画像フレームで識別されるマーカーのセットを適切な乳幼児に関連付けるものである」と特定されており、引用発明の「マーカー」は、「乳幼児の」「身体の各位置に関連するように対応付ける」ものであり、「複数の乳幼児」を「適切」に「識別」する「乳幼児に関連付ける」ものである。
　そして、上記引用文献２（特に下線部参照）には、マーカを患者の身体の異なる位置に取り付ける際に、その取り付けられた身体の部分を知るために、マーカをカメラによって識別され得るバーコード又は２次元ピクセル配列（ＱＲコード）を含む識別情報を有するものとすることによって、身体の部分と関連付ける技術が記載されており、また、患者の識別を患者に配置したバーコード、ＱＲコードによって行うことは本願優先日前の慣用手段（例えば、特開２００１−１７５７９１号公報、特開２００７−２４９９２５号公報、特表２０１０−５３７６７２号公報等）である。
　してみれば、引用発明の「マーカー」は、「乳幼児の」「身体の各位置に関連するように対応付ける」ものであり、「複数の乳幼児」を「適切」に「識別」する「乳幼児に関連付ける」ものであるから、マーカーを、乳幼児の身体の部分における位置及び複数の乳幼児を識別するＱＲコード、バーコードのようなものを含むもの、すなわち「対象者の固有のデータを含む符号化データを含んだ機械可読グラフィカルパターンを含む」ものとすることは、上記引用文献２の記載及び慣用手段に鑑みて、当業者が容易になし得たことであり、そして、マーカーが「符号化データを含んだ機械可読グラフィカルパターンを含む」ものであると、「コンピュータ」は「前記グラフィカルパターンから前記符号化データを求める」ことを行うことになる。
２　効果について
　本願発明において、マーカーとして「対象者の固有のデータを含む符号化データを含んだ機械可読グラフィカルパターンを含む」ものを用いたことによる効果は、バーコード、ＱＲコード等を用いることによる当業者が予期しうる効果を超えるものではない。
３　請求人の主張について
　請求人は、令和元年７月１６日提出の意見書で、「引用文献１の上記構成において、マーカー１０４及びマーカーブロック８０２、８０６、８７７には、本願発明１等でいう、対象者の固有のデータを含む符号化データを含んだ機械可読グラフィカルパターンに対応する構成が設けられていない。」、「引用文献２の上記構成において、バーコード及び２次元クセル配列は、単に身体の部分を示すものであり、人物（対象者）の固有のデータを含むものでない。」（なお、「２次元クセル配列」は「２次元ピクセル配列」の誤記である）と主張しているが、引用文献１の記載、引用文献２の記載のそれぞれと本願発明が相違する点を主張するのみであるから、上記１で述べた相違点に対する判断を覆すものではない。
４　小括
　よって、本願発明は、引用発明、並びに、引用文献２に記載された事項及び慣用手段に基いて、当業者が容易に発明をすることができたものであるから、特許法第２９条第２項の規定により特許を受けることができない。
第７　むすび 
　以上のとおり、本願発明は、特許法第２９条第２項の規定により特許を受けることができないから、その余の請求項に係る発明について言及するまでもなく、本願は拒絶されるべきものである。 
　よって、結論のとおり、審決する。